(57)【要約】【課題】出る必要が無い電話の着信音により興がそがれることを回避しつつ、登録されている発信元からの着信時にはその着信音に気が付きやすいようにスピーカの音量を下げることができる音響システム及び音響装置を提供する。【解決手段】音響システムは、電話番号を記憶する記憶手段を有する携帯電話機９と、シアターシステム１とを備える。携帯電話機９は、着信時に電波から取得した電話番号を記憶手段が記憶しているか否かを判定し、記憶済みと判定した場合、第１着信通知信号をシアターシステム１へ送信し、否と判定した場合、第２着信通知信号をシアターシステム１へ送信する手段とを備える。シアターシステム１は、携帯電話機９から送信された第１着信通知信号を受信した場合、スピーカの音量を低下させ、第２着信通知信号を受信した場合、スピーカの音量を保持する制御手段を備える。【選択図】図１
2014033279.tif 000002
【特許請求の範囲】
【請求項１】
電話番号を記憶する記憶手段、基地局から送信された電波を受信するアンテナ、並びに該アンテナにて受信した電波に含まれる呼出信号及び発信元の電話番号を取得する取得手段を備え、呼出信号受信時に着信音を発する携帯電話機と、該携帯電話機の着信状態に応じてスピーカの音量を変更する音響機器とを備えた音響システムであって、
前記携帯電話機は、
電波から呼出信号及び電話番号を取得した場合、取得した電話番号を前記記憶手段が記憶しているか否かを判定する判定手段と、
該判定手段が前記電話番号を記憶していると判定した場合、第１着信通知信号を前記音響機器へ送信し、前記判定手段が前記電話番号を記憶していないと判定した場合、第２着信通知信号を前記音響機器へ送信する手段と
を備え、
前記音響機器は、
前記携帯電話機から送信された第１着信通知信号及び第２着信通知信号を受信する手段と、
第１着信通知信号を受信した場合、スピーカの音量を低下させ、第２着信通知信号を受信した場合、スピーカの音量を保持する制御手段と
を備えることを特徴とする音響システム。
【請求項２】
前記携帯電話機は、
呼出信号及び電話番号を取得した場合、受信した電話番号又は該電話番号に対応する特定情報を前記音響機器へ送信する手段を備え、
前記音響機器は、
前記携帯電話機から送信された電話番号又は特定情報を受信する手段と、
受信した電話番号又は特定情報を表示する手段と
を備えることを特徴とする請求項１に記載の音響システム。
【請求項３】
前記音響機器は、
受話操作を受け付ける手段と、
受話操作を受け付けた場合、受話信号を前記携帯電話機へ送信する手段と
を備え、
前記携帯電話機は、
前記音響機器から送信された受話信号を受信した場合、通話を開始し、前記アンテナにて受信した電波に含まれる音声信号を取得する手段と、
取得した音声信号を前記音響機器へ送信する手段と
を備え、
前記音響機器は、
前記携帯電話機から送信された音声信号を受信する手段と、
受信した音声信号をスピーカに与える手段と
を備えることを特徴とする請求項１又は請求項２に記載の音響システム。
【請求項４】
前記スピーカは、
据置型のスピーカ及びヘッドセットのスピーカを含み、
前記音響機器は、
据置型の前記スピーカの音量を低下させ、前記携帯電話機から送信された音声信号を据置型のスピーカ又はヘッドセットのスピーカに選択的に与えるようにしてある
ことを特徴とする請求項３に記載の音響システム。
【請求項５】
前記音響機器は、
音声を音声信号に変換するマイクと、
該マイクにて変換された音声信号を前記携帯電話機へ送信する手段と
を備え、
前記携帯電話機は、
前記音響機器から送信された音声信号を受信する手段と
受信した音声信号を前記アンテナにて基地局へ送信する手段と
を備えることを特徴とする請求項３又は請求項４に記載の音響システム。
【請求項６】
前記マイクはヘッドセットに設けられている
ことを特徴とする請求項５に記載の音響システム。
【請求項７】
前記音響機器は、
スピーカに与える音声信号の所定周波数帯における信号レベルを低減する手段を備える
ことを特徴とする請求項１から請求項６までのいずれか一つに記載の音響システム。
【請求項８】
着信時に着信音を発する外部機器の動作に応じてスピーカの音量を変更する音響機器であって、
前記外部機器から送信された第１着信通知信号及び第２着信通知信号を受信する手段と、
第１着信通知信号を受信した場合、スピーカの音量を低下させ、第２着信通知信号を受信した場合、スピーカの音量を保持する制御手段と
を備えることを特徴とする音響装置。
【発明の詳細な説明】
【技術分野】
【０００１】
着信時に着信音を発する携帯電話機と、該携帯電話機の着信状態に応じてスピーカの音量を変更する音響機器とを備えた音響システム、及び該音響システムを構成する音響装置に関する。
【背景技術】
【０００２】
近年、家庭内で５．１チャンネル又は７．１チャンネルといったマルチチャンネルサラウンド信号を迫力ある大音量で再生することができるシアターシステムが実用化されている。シアターシステムは、センタースピーカ、サブウーハが設けられたシアターラック、該シアターラックの前後左右に配置されたフロントスピーカ、リアスピーカ、大画面のテレビジョン受像機及びレコーダ等で構成されている。
【０００３】
一方、特許文献１には、携帯電話機から送信される電波を受信して、通話開始及び通話終了を判定し、通話開始時に再生装置の音量を下げ、通話終了時に音量を元のレベルに戻す再生装置が開示されている。
また、特許文献２には、電話機用のモデムを備え、該モデムが電話の着信を検知した場合、音量を自動的に下げるように構成されたテレビジョン受像機が開示されている。
【先行技術文献】
【特許文献】
【０００４】
【特許文献１】特許第４５２０８３７号
【特許文献２】特開２００１−３３３３３４号公報
【発明の概要】
【発明が解決しようとする課題】
【０００５】
しかしながら、従来のシアターシステムにおいては携帯電話機を保有している使用者が大音量でシアターシステムを利用している場合、携帯電話機の着信音が鳴っても、着信音に気が付きにくいという問題がある。
また、シアターシステムを楽しんでいる時に間違い電話等、出る必要が無い電話の着信音により興をそがれるという問題がある。
【０００６】
一方、特許文献１には通話時に再生装置の音量を下げる技術が開示されているが、着信時に音調を下げることができないため、着信音に気が付きにくいという問題を解決することはできない。
また、特許文献２に係るテレビにおいては、着信を検知した場合、無条件に音量が小さくなるため、出る必要が無い電話の着信音により興をそがれるという問題を解決することができない。
【０００７】
本発明は斯かる事情に鑑みてなされたものであり、その目的は携帯電話機に登録されている発信元から着信があった場合、音量を下げ、未登録の発信元から着信があった場合、音量を保持することにより、出る必要が無い電話の着信音により興がそがれることを回避しつつ、登録されている発信元からの着信時にはその着信音に気が付きやすいようにスピーカの音量を下げることができる音響システム及び音響装置を提供することにある。
【課題を解決するための手段】
【０００８】
本発明に係る音響システムは、電話番号を記憶する記憶手段、基地局から送信された電波を受信するアンテナ、並びに該アンテナにて受信した電波に含まれる呼出信号及び発信元の電話番号を取得する取得手段を備え、呼出信号受信時に着信音を発する携帯電話機と、該携帯電話機の着信状態に応じてスピーカの音量を変更する音響機器とを備えた音響システムであって、前記携帯電話機は、電波から呼出信号及び電話番号を取得した場合、取得した電話番号を前記記憶手段が記憶しているか否かを判定する判定手段と、該判定手段が前記電話番号を記憶していると判定した場合、第１着信通知信号を前記音響機器へ送信し、前記判定手段が前記電話番号を記憶していないと判定した場合、第２着信通知信号を前記音響機器へ送信する手段とを備え、前記音響機器は、前記携帯電話機から送信された第１着信通知信号及び第２着信通知信号を受信する手段と、第１着信通知信号を受信した場合、スピーカの音量を低下させ、第２着信通知信号を受信した場合、スピーカの音量を保持する制御手段とを備えることを特徴とする。
【０００９】
本発明に係る音響システムは、前記携帯電話機は、呼出信号及び電話番号を取得した場合、受信した電話番号又は該電話番号に対応する特定情報を前記音響機器へ送信する手段を備え、前記音響機器は、前記携帯電話機から送信された電話番号又は特定情報を受信する手段と、受信した電話番号又は特定情報を表示する手段とを備えることを特徴とする。
【００１０】
本発明に係る音響システムは、前記音響機器は、受話操作を受け付ける手段と、受話操作を受け付けた場合、受話信号を前記携帯電話機へ送信する手段とを備え、前記携帯電話機は、前記音響機器から送信された受話信号を受信した場合、通話を開始し、前記アンテナにて受信した電波に含まれる音声信号を取得する手段と、取得した音声信号を前記音響機器へ送信する手段とを備え、前記音響機器は、前記携帯電話機から送信された音声信号を受信する手段と、受信した音声信号をスピーカに与える手段とを備えることを特徴とする。
【００１１】
本発明に係る音響システムは、前記スピーカは、据置型のスピーカ及びヘッドセットのスピーカを含み、前記音響機器は、据置型の前記スピーカの音量を低下させ、前記携帯電話機から送信された音声信号を据置型のスピーカ又はヘッドセットのスピーカに選択的に与えるようにしてあることを特徴とする。
【００１２】
本発明に係る音響システムは、前記音響機器は、音声を音声信号に変換するマイクと、該マイクにて変換された音声信号を前記携帯電話機へ送信する手段とを備え、前記携帯電話機は、前記音響機器から送信された音声信号を受信する手段と受信した音声信号を前記アンテナにて基地局へ送信する手段とを備えることを特徴とする。
【００１３】
本発明に係る音響システムは、前記マイクはヘッドセットに設けられていることを特徴とする。
【００１４】
本発明に係る音響システムは、前記音響機器は、スピーカに与える音声信号の所定周波数帯における信号レベルを低減する手段を備えることを特徴とする。
【００１５】
本発明に係る音響装置は、着信時に着信音を発する外部機器の動作に応じてスピーカの音量を変更する音響機器であって、前記外部機器から送信された第１着信通知信号及び第２着信通知信号を受信する手段と、第１着信通知信号を受信した場合、スピーカの音量を低下させ、第２着信通知信号を受信した場合、スピーカの音量を保持する制御手段とを備えることを特徴とする。
【００１６】
本発明にあっては、携帯電話機は電話番号を記憶する記憶手段を備え、基地局から送信された電波に含まれる電話番号を取得し、取得した電話番号を記憶手段が記憶しているか否かを判定する。記憶手段が記憶している電話番号が発信元である場合、着信を要する可能性が高く、記憶手段が記憶していない電話番号が発信元である場合、着信を要する可能性は低い。そこで、携帯電話機は、判定手段が前記電話番号を記憶していると判定した場合、第１着信通知信号を音響機器へ送信し、判定手段が前記電話番号を記憶していないと判定した場合、第２着信通知信号を音響機器へ送信する。
音響機器は、携帯電話機から送信された第１着信通知信号及び第２着信通知信号を受信する手段を備える。音響機器の制御手段は、第１着信通知信号を受信した場合、スピーカの音量を低下させ、第２着信通知信号を受信した場合、スピーカの音量を保持する。
従って、電話の発信元の電話番号が携帯電話機に登録されている場合、音響機器が備えるスピーカの音量は低下し、発信元の電話番号が携帯電話機に登録されていない場合、スピーカの音量は保持される。
【００１７】
本発明にあっては、電話の発信元の電話番号又は該電話番号に対応する特定情報が表示される。
【００１８】
本発明にあっては、音響機器が受話操作を受け付けた場合、携帯電話機にて受信した発信元の音声が音響機器側のスピーカから放出される。
【００１９】
本発明にあっては、発信元の電話番号が携帯電話機に登録されていた場合、据置型のスピーカの音量が低下し、携帯電話機で受信した発信元の音声が据置型のスピーカ又はヘッドセットのスピーカから選択的に放出される。発信元の音声を出力するスピーカは例えばユーザによって選択される。
【００２０】
本発明にあっては、音響機器側のマイクにて変換された音声信号が携帯電話機を介して基地局へ送信される。
【００２１】
本発明にあっては、ヘッドセットを用いて携帯電話機の通話を行うことが可能である。
【００２２】
本発明にあっては、所定周波数帯における音声信号の信号レベルを低減してスピーカから放音するため、通話の妨げになる周波数帯の音声を低減した音場環境を作ることができる。
【発明の効果】
【００２３】
本発明によれば、携帯電話機に登録されている発信元から着信があった場合、音量を下げ、未登録の発信元から着信があった場合、音量を保持することにより、出る必要が無い電話の着信音により興がそがれることを回避しつつ、登録されている発信元からの着信時にはその着信音に気が付きやすいようにスピーカの音量を下げることができる。
【図面の簡単な説明】
【００２４】
【図１】本実施の形態に係る音響システムの一構成例を示す斜視図である。
【図２】シアターシステムの一構成例を示すブロック図である。
【図３】シアターシステムの一構成例を示すブロック図である。
【図４】携帯電話機の処理手順を示すフローチャートである。
【図５】シアターシステムの処理手順を示すフローチャートである。
【図６】ヘッドセットによる通話処理手順を示すフローチャートである。
【図７】シアターラックによる通話処理手順を示すフローチャートである。
【発明を実施するための形態】
【００２５】
以下、本発明をその実施の形態を示す図面に基づいて詳述する。
図１は、本実施の形態に係る音響システムの一構成例を示す斜視図である。本実施の形態に係る音響システムは、シアターシステム（音響装置）１と、テレビ２と、レコーダ３と、ヘッドセット４と、リアスピーカ５と、センタースピーカ６と、フロントスピーカ７と、リモコン８と、携帯電話機９とを備える。
【００２６】
図２及び図３は、シアターシステム１の一構成例を示すブロック図である。図中、太線は音声信号等のデータが流れる信号ライン、破線は制御信号が流れる制御ライン、細線は電源ラインを示している。シアターシステム１は、各構成部の動作を制御するＣＰＵ（制御手段）１５と、各構成部に給電する電源回路２６とを備える。また、シアターシステム１は、携帯電話機９に給電すると共に、制御信号、音声信号等の信号を送受信する携帯入出力部１１を備える。携帯入出力部１１は、例えば、携帯電話機９が載置される載置台を有する。載置台には、携帯電話機９が載置された際に、携帯電話機９の入出力端子が接触する接続端子が設けられている。載置台に携帯電話機９が載置された場合、携帯電話機９の入出力端子と、載置台の接続端子とが電気的に接続され、シアターシステム１と、携帯電話機９との間で各種信号の送受信、給電を行うことが可能になる。なお、端子による接続は一例であり、携帯入出力部１１は、ブルートゥース規格に準拠した無線通信、赤外線通信等のその他の通信手段にて、携帯電話機９との通信を行うように構成しても良い。携帯入出力部１１は、携帯電話機９から送信された音声信号を受信し、受信した音声信号を、切替スイッチ１６を介して無線送受信機１７へ出力する。また、携帯入出力部１１は、前記受信した音声信号を、コーデック部１２へ出力する。更に、無線送受信機１７にて受信した音声信号が入力され、入力された該音声信号を携帯電話機９へ送信する。更にまた、携帯入出力部１１には、シアターラック用マイク１８が接続されている。シアターラック用マイク１８は、音響システムの使用者の側に設置される。シアターラック用マイク１８は音声を音声信号に変換し、携帯入出力部１１に入力する。携帯入出力部１１は、ＣＰＵ１５の制御命令に従って、シアターラック用マイク１８から入力した音声信号を携帯電話機９へ送信する。
【００２７】
コーデック部１２は、ＣＰＵ１５の制御命令に従って、携帯入出力部１１から出力された音声信号をＡ／Ｄ変換し、Ａ／Ｄ変換された音声信号を信号処理部１３に与える。また、コーデック部１２には、アナログ信号入力部１９及びデジタル信号入力部２０が接続されている。コーデック部１２は、アナログ信号入力部１９を介して入力されたアナログの音声信号をＡ／Ｄ変換し、Ａ／Ｄ変換された音声信号を信号処理部１３に与える。更に、コーデック部１２は、デジタル信号入力部２０を介して入力されたデジタルの音声信号を所定のデジタルフォーマットに変換し、信号処理部１３に与える。
【００２８】
信号処理部１３は、コーデック部１２にてＡ／Ｄ変換又はフォーマット変換された音声信号に対して各種信号処理を行い、無線送受信機１７及びアンプ１４へ出力する。また、信号処理部１３にはＨＤＭＩ（High Definition Multimedia Interface）制御部２３が接続されており、該ＨＤＭＩ制御部２３から入力された音声信号に対しても同様にして各種信号処理を行い、無線送受信機１７及びアンプ１４へ出力する。信号処理部１３から出力される音声信号は、通常はアナログ信号入力部１９、デジタル信号入力部２０又はＨＤＭＩ制御部２３から入力される音声信号に各種信号処理を施したものであり、各種信号処理が行われた音声信号はアンプ１４及び無線送受信機１７に与えられる。ただし、携帯電話機９による通話時又は着信時においては、アナログ信号入力部１９、デジタル信号入力部２０又はＨＤＭＩ制御部２３から入力される音声信号に通話に係る音声信号又は着信音が重畳されて、アンプ１４に与えられる。また、信号処理部１３は、通話し易い音場を作るために、出力する音声信号に含まれる所定周波数帯域における信号レベルを低減するといった処理を実行する。
【００２９】
シアターシステム１は、ＨＤＭＩ入出力部２１、２２を備える。ＨＤＭＩ入出力部２１には例えばテレビ２が接続され、ＨＤＭＩ制御部２３の制御命令に従って映像信号及び音声信号が入出力される。またＨＤＭＩ入出力部２２にはレコーダ３が接続され、ＨＤＭＩ制御部２３の制御命令に従って映像信号及び音声信号が入出力される。
【００３０】
切替スイッチ１６はＣＰＵ１５の制御命令に従ってオンオフする。切替スイッチ１６がオン状態にある場合、携帯入出力部１１から出力された音声信号が無線送受信機１７に入力される。切替スイッチ１６がオフ状態にある場合、携帯入出力部１１から出力された音声信号は無線送受信機１７に入力されない状態になる。
【００３１】
無線送受信機１７は、ヘッドセット４との間で音声信号を無線で送受信するトランシーバである。無線送受信機１７は、通話時に切替スイッチ１６を介して携帯入出力部１１から入力された音声信号、又は非通話時に信号処理部１３から与えられた音声信号を無線でヘッドセット４へ送信する。また、無線でヘッドセット４から送信された音声信号を受信し、受信した音声信号を携帯入出力部１１に与える。
【００３２】
ヘッドセット４は、ヘッドセットマイク４１、ヘッドセットスピーカ４２、及び図示しないヘッドセット側無線送受信機を備える。ヘッドセット側無線送受信機は、ブルートゥース規格等の近距離無線通信、赤外線通信等によってシアターシステム１との間で音声信号の送受信を行う。具体的には、ヘッドセット側無線送受信機は、シアターシステム１から送信された音声信号を受信し、受信した音声信号はヘッドセットスピーカ４２に与えられ、放音される。また、ヘッドセットマイク４１は音圧を電気信号の音声信号に変換し、ヘッドセット側無線送受信機は、ヘッドセットマイク４１で変換された音声信号をシアターシステム１へ送信する。
【００３３】
アンプ１４は、信号処理部１３から出力された音声信号を増幅し、増幅した音声信号をリアスピーカ５、センタースピーカ６、及びフロントスピーカ７に与える。センタースピーカ６は、例えばシアターシステム１を構成するシアターラックの正面側略中央部に設けられている。また、リアスピーカ５は、シアターラックの正面側左右両側に設置され、フロントスピーカ７は、シアターラックの背面側左右両側に設置される。
【００３４】
リモコン８は、シアターシステム１を操作するための操作部８３を備える。操作部８３は、シアターシステム１を操作するための操作ボタンに加え、ヘッドセット４を用いた通話を指示する第１受話ボタン、シアターラック用マイク１８を用いた通話を指示する第２受話ボタン、留守番電話設定を指示する留守電ボタン、通話の終了を指示する通話終了ボタン等を備える。制御部８２は、操作部８３の操作状態を監視しており、操作部８３の操作内容を示した遠隔操作信号を送信部８１にてシアターシステム１へ送信する。
【００３５】
シアターシステム１は、リモコン８から送信された遠隔操作信号を受信し、受信した遠隔操作信号をＣＰＵ１５に与える。
【００３６】
また、シアターシステム１は、液晶又は有機ＥＬディスプレイ等で構成される表示部（表示手段）２５を備える。表示部２５は、ＣＰＵ１５から与えられた制御命令に従って情報を表示する。
【００３７】
携帯電話機９は、アンテナ９１、送受信部９２、ベースバンド処理部９３、携帯用マイク９４、携帯用スピーカ９５、電源回路９６、制御部９７、記憶部（記憶手段）９８及び切替部９９を備える。
送受信部９２は、基地局との間で通話に係る信号を含んだ電波をアンテナ９１にて送受信する。ベースバンド処理部９３は、電波に含まれる呼出信号、電話番号、音声信号などの各種データを抽出し、抽出したデータを制御部９７に与える。また、ベースバンド処理部９３は、切替部９９を介して入力した音声信号に、自身の電話番号、発信先の電話番号、呼出信号などの各種データを付加し、送受信部９２に与える。該送受信部９２は、ベースバンド処理部９３から与えられた音声信号をアンテナ９１にて送信する。
切替部９９は制御部９７の制御命令に従って動作し、通話に係る音声信号の入出力経路の切替を行う。携帯側経路に切り替えられた場合、携帯用マイク９４及び携帯用スピーカ９５に音声信号が入出力し、シアター側経路に切り替えられた場合、シアターシステム１に音声信号が入出力する。
制御部９７は、複数の電話番号を記憶する記憶部９８を備える。電話番号は使用者の登録操作によって携帯電話機９に入力され、制御部９７は入力された電話番号を記憶部９８に記憶させる。制御部９７は、ベースバンド処理部９３で抽出された音声信号、電話番号等の情報を携帯入出力部１１へ送信する機能を有する。また、制御部９７は、ベースバンド処理部９３で抽出された電話番号を記憶部９８が記憶しているか否かを判定し、判定結果に応じた着信通知信号を携帯入出力部１１へ送信する機能を有する。
電源回路９６は、シアターシステム１から供給された電力を携帯電話機９の各構成部に与える。また、電源回路９６は、図示しないバッテリへの給電を行う。
【００３８】
図４は、携帯電話機９の処理手順を示すフローチャートである。携帯電話機９の制御部９７は、基地局より送信された電波からベースバンド処理部９３にて抽出された呼出信号、電話番号、音声信号等の各種データを取得する（ステップＳ１１）。そして、制御部９７は、電波から呼出信号を取得したか否かを判定する（ステップＳ１２）。呼出信号を取得していないと判定した場合（ステップＳ１２：ＮＯ）、制御部９７は処理をステップＳ１１に戻す。呼出信号を取得したと判定した場合（ステップＳ１２：ＹＥＳ）、制御部９７は、ステップＳ１１で取得した発信元の電話番号が登録番号であるか否か、つまり該電話番号が、記憶部９８に記憶された電話番号の一つと一致するか否かを判定する（ステップＳ１３）。
【００３９】
登録番号であると判定した場合（ステップＳ１３：ＹＥＳ）、制御部９７は、シアターシステム１へ発信元の電話番号及び着信通知信号“１”（第１着信通知信号）を送信する（ステップＳ１４）。登録番号でないと判定した場合（ステップＳ１３：ＮＯ）、制御部９７は、シアターシステム１へ発信元の電話番号及び着信通知信号“０”を送信する（ステップＳ１５）。ステップＳ１４又はステップＳ１５の処理を終えた制御部９７は、シアターシステム１から送信された留守電信号を受信したか否かを判定する（ステップＳ１６）。留守電信号は、リモコン８の留守電ボタンが操作された際にシアターシステム１から携帯電話機９へ送信される信号である。留守電信号を受信したと判定した場合（ステップＳ１６：ＹＥＳ）、制御部９７は留守電モードを設定し（ステップＳ１７）、処理をステップＳ１１へ戻す。
【００４０】
留守電信号を受信していないと判定した場合（ステップＳ１６：ＮＯ）、制御部９７は、シアターシステム１から送信された受話信号を受信したか否かを判定する（ステップＳ１８）。受話信号は、リモコン８の第１受話ボタン又は第２受話ボタンが操作された際にシアターシステム１から携帯電話機９へ送信される信号である。受話信号を受信していないと判定した場合（ステップＳ１８：ＮＯ）、制御部９７は処理をステップＳ１１へ戻す。受話信号を受信したと判定した場合（ステップＳ１８：ＹＥＳ）、制御部９７は、通話開始処理を実行し、基地局との間で音声信号の送受信を開始する（ステップＳ１９）。次いで、制御部９７は、受信した電波に含まれる通話相手の音声信号を取得し（ステップＳ２０）、取得した音声信号をシアターシステム１へ送信する（ステップＳ２１）。
【００４１】
次いで制御部９７は、シアターシステム１から送信された音声信号を受信し（ステップＳ２２）、制御部９７は、受信した音声信号を送受信部９２にて基地局へ送信する（ステップＳ２３）。次いで、制御部９７は、シアターシステム１から送信された通話終了信号を受信したか否かを判定する（ステップＳ２４）。通話終了信号は、リモコン８の通話終了ボタンが操作された際にシアターシステム１から送信される信号である。通話終了信号を受信していないと判定した場合（ステップＳ２４：ＮＯ）、制御部９７は、処理をステップＳ２０へ戻し、通話に係る音声の送受信処理を継続する。通話終了信号を受信した場合（ステップＳ２４：ＹＥＳ）、ＣＰＵ１５は、通話終了処理を実行し（ステップＳ２５）、処理をステップＳ１１へ戻す。
【００４２】
図５は、シアターシステム１の処理手順を示すフローチャートである。シアターシステム１のＣＰＵ１５は、携帯電話機９から送信される各種信号を、携帯入出力部１１を介して受信する（ステップＳ３１）。携帯電話機９から送信される各種信号には、後述する着信通知信号、音声信号、電話番号等が含まれる。そして、ＣＰＵ１５は、着信通知信号“１”を受信したか否かを判定する（ステップＳ３２）。着信通知信号“１”を受信したと判定した場合（ステップＳ３２：ＹＥＳ）、ＣＰＵ１５は、信号処理部１３に制御命令を与えることにより、リアスピーカ５、センタースピーカ６及びフロントスピーカ７の音量を低下させる（ステップＳ３３）。
【００４３】
着信通知信号“１”を受信していないと判定した場合（ステップＳ３２：ＮＯ）、ＣＰＵ１５は、着信通知信号“０”（第２着信通知信号）を受信したか否かを判定する（ステップＳ３４）。着信通知信号“０”を受信していないと判定した場合（ステップＳ３４：ＮＯ）、処理を終える。着信通知信号“０”を受信したと判定した場合（ステップＳ３４：ＹＥＳ）、ＣＰＵ１５は、ステップＳ３１で受信した電話番号を表示部２５に表示する（ステップＳ３５）。
なお、ここでは発信元の電話番号を表示部２５に表示する例を説明したが、電話番号に対応する特定情報、例えば記憶部が電話番号と対応付けて記憶している名前、ニックネーム等を表示部２５に表示するように構成しても良い。具体的には、携帯電話機９の制御部９７は、電波から取得した電話番号に対応する特定情報を記憶部９８から読み出し、読み出した特定情報をシアターシステム１へ送信する。シアターシステム１のＣＰＵ１５は、携帯入出力部１１にて特定情報を受信し、受信した特定情報を表示部２５に表示させる。
【００４４】
次いで、ＣＰＵ１５は、リモコン受信部２４にて遠隔操作信号の受信し（ステップＳ３６）、リモコン８の操作を監視する。ＣＰＵ１５は、遠隔操作信号の内容から留守電ボタンが操作されたか否かを判定する（ステップＳ３７）。留守電ボタンが操作されたと判定した場合（ステップＳ３７：ＹＥＳ）、ＣＰＵ１５は、留守電信号を、携帯入出力部１１を介して携帯電話機９へ送信する（ステップＳ３８）。
【００４５】
留守電ボタンが操作されていないと判定した場合（ステップＳ３７：ＮＯ）、ＣＰＵ１５は、遠隔操作信号の内容から第１受話ボタンが操作されたか否かを判定する（ステップＳ３９）。第１受話ボタンが操作されたと判定した場合（ステップＳ３９：ＹＥＳ）、ＣＰＵ１５は、ヘッドセット４による通話処理を実行する（ステップＳ４０）。ヘッドセット４による通話処理の詳細は後述する。
【００４６】
第１受話ボタンが操作されていないと判定した場合（ステップＳ３９：ＮＯ）、ＣＰＵ１５は、遠隔操作信号の内容から第２受話ボタンが操作されたか否かを判定する（ステップＳ４１）。第２受話ボタンが操作されたと判定した場合（ステップＳ４１：ＹＥＳ）、ＣＰＵ１５は、シアターラックによる通話処理を実行する（ステップＳ４２）。シアターラックによる通話処理の詳細は後述する。
【００４７】
ステップＳ４０又はステップＳ４２の処理を終えたＣＰＵ１５は、携帯入出力部１１を介して通話終了信号を携帯電話機９へ送信する（ステップＳ４３）。ステップＳ４３の処理を終えた場合、又はステップＳ４１で第２受話ボタンが操作されていないと判定した場合（ステップＳ４１：ＮＯ）、ＣＰＵ１５は、信号処理部１３の動作を制御することにより、リアスピーカ５、センタースピーカ６及びフロントスピーカ７の音量を元の音量レベルに戻す（ステップＳ４４）。そして、ステップＳ４４又はステップＳ３８の処理を終えたＣＰＵ１５は、ステップＳ３５で表示した電話番号を表示部２５から消去した元の表示に戻し（ステップＳ４５）、処理を終える。元の音量レベルは、ステップＳ３３で音量を低下させる前の音量である。なお、ステップＳ３３で音量を低下させていない場合、各スピーカの音量はステップＳ４４の処理で変化しない。
【００４８】
図６は、ヘッドセット４による通話処理手順を示すフローチャートである。シアターシステム１のＣＰＵ１５は、携帯入出力部１１を介して受話信号を携帯電話機９へ送信する（ステップＳ７１）。次いで、ＣＰＵ１５は、切替スイッチ１６をオン状態にする（ステップＳ７２）。つまり、ＣＰＵ１５は、携帯電話機９から携帯入出力部１１に入力した音声信号を、切替スイッチ１６を介して無線送受信機１７へスルーパスさせる。
【００４９】
そして、ＣＰＵ１５は、通話相手の音声信号を、携帯入出力部１１を介して取得し（ステップＳ７３）、取得した音声信号を無線送受信機１７にてヘッドセット４へ送信する（ステップＳ７４）。
【００５０】
次いで、ＣＰＵ１５は、ヘッドセット４で電気信号に変換された音声信号を無線送受信機１７にて受信し（ステップＳ７５）、受信した音声信号を、携帯入出力部１１を介して携帯電話機９へ送信する（ステップＳ７６）。そして、ＣＰＵ１５は、遠隔操作信号を受信し、通話終了ボタンが操作されたか否かを判定する（ステップＳ７７）。通話終了ボタンが操作されていないと判定した場合（ステップＳ７７：ＮＯ）、ＣＰＵ１５は処理をステップＳ７３へ戻す。通話終了ボタンが操作されたと判定した場合（ステップＳ７７：ＹＥＳ）、ＣＰＵ１５は、切替スイッチ１６をオフ状態に戻し（ステップＳ７８）、ヘッドセット４による通話処理に係る処理を終える。
図６に示した上述の処理によって、ヘッドセットを用いた通話が可能になる。
【００５１】
図７は、シアターラックによる通話処理手順を示すフローチャートである。シアターシステム１のＣＰＵ１５は、携帯入出力部１１を介して受話信号を携帯電話機９へ送信する（ステップＳ９１）。次いで、ＣＰＵ１５は、携帯入出力部１１から出力される通話相手の音声信号がコーデック部１２に入力されるようにし（ステップＳ９２）、信号処理部１３に制御命令を与えることにより音場を通話モードに設定する（ステップＳ９３）。例えば、音声信号から、約３００Ｈｚ未満の周波数と、約３ｋＨｚ以上の周波数とをカットする。なお、言うまでもなく、約３００Ｈｚ未満の周波数及び約３ｋＨｚ以上の周波数にある音声信号の信号レベルを低減させるように構成しても良い。また、約３００Ｈｚ未満の周波数の音声信号、又は約３ｋＨｚ以上の周波数の音声信号のいずれか一方を低減するように構成しても良い。人間の耳は個人差もあるが一般的に２０Ｈｚ〜２０ｋＨｚの音を聞くことができると言われているが、携帯電話機９から出力される音声信号は３００Ｈｚ〜３ｋＨｚ程度である。３００Ｈｚ未満、３ｋＨｚ以上の音声は、通話の妨げになるおそれがあるため、これらの周波数帯の音を通さなくすることにより、ノイズを抑えた聞きやすい環境を作ることができる。
【００５２】
次いで、ＣＰＵ１５は、通話相手の音声信号を、携帯入出力部１１を介して取得し（ステップＳ９４）、取得した通話相手の音声信号を、他の入力部から入力された音声信号に重ね合わせてリアスピーカ５、センタースピーカ６及びフロントスピーカ７に与える（ステップＳ９５）。
【００５３】
次いで、ＣＰＵ１５は、シアターラック用マイク１８で電気信号に変換された音声信号を取得し（ステップＳ９６）、受信した音声信号を、携帯入出力部１１を介して携帯電話機９へ送信する（ステップＳ９７）。そして、ＣＰＵ１５は、遠隔操作信号を受信し、通話終了ボタンが操作されたか否かを判定する（ステップＳ９８）。通話終了ボタンが操作されていないと判定した場合（ステップＳ９８：ＮＯ）、ＣＰＵ１５は処理をステップＳ９４へ戻す。通話終了ボタンが操作されたと判定した場合（ステップＳ９８：ＹＥＳ）、ＣＰＵ１５は、コーデック部１２の入力を元に戻し（ステップＳ９９）、信号処理部１３に制御命令を与えることにより音場を元のモードに設定し（ステップＳ１００）、処理を終える。コーデック部１２の入力を元に戻すことによって、携帯入出力部１１から出力される音声信号はコーデック部１２に入力されない状態となり、アナログ信号入力部１９等の他の入力部から入力された音声信号のみがコーデック部１２に入力するようになる。なお、元のモードとは、ステップＳ９３で設定変更する前の音場のモードである。
図7に示した上述の処理によって、シアターシステム１の各スピーカ及びシアターラック用マイク１８を用いた通話が可能になる。
【００５４】
このように構成された音響システムによれば、携帯電話機９に登録されている電話番号の発信元から着信があった場合、リアスピーカ５、センタースピーカ６及びフロントスピーカ７の音量が小さくなるため、使用者が携帯電話機９の着信音に気が付き易い音場環境を作ることができる。
一方、携帯電話機９に登録されていない電話番号の発信元から着信があった場合、つまり出る必要が無い可能性が高い発信元から着信があった場合、リアスピーカ５、センタースピーカ６及びフロントスピーカ７の音量を保持するため、出る必要が無い電話の着信音により興がそがれることを防ぐことができる。
【００５５】
また、着信時に発信元の電話番号又は電話番号に対応する特定情報を表示部２５に表示することができ、使用者は着信があった発信元の電話番号又は該特定情報から発信元を確認することができる。
【００５６】
更に、使用者は、第１受話ボタンを操作することによりヘッドセット４を用いた通話を行い、第２受話ボタンを操作することにより、シアターシステム１の各スピーカ及びシアターラック用マイク１８を用いた通話を行うことができる。複数人でシアターシステム１を使用している場合、ヘッドセット４を用いて通話することにより、他の人はシアターシステム１を楽しむことができる。
【００５７】
更にまた、シアターシステム１の各スピーカ及びシアターラック用マイク１８を用いた通話を行う場合、各スピーカから出力される音声信号の周波数帯を、通話に適した周波数帯に変更し、放音するように構成してあるため、シアターシステム１の各スピーカを用いた通話を行い易い音場を作ることができる。
【００５８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５９】
１  シアターシステム
２  テレビ
３  レコーダ
４  ヘッドセット
５  リアスピーカ
６  センタースピーカ
７  フロントスピーカ
８  リモコン
９  携帯電話機
１１  携帯入出力部
１２  コーデック部
１３  信号処理部
１４  アンプ
１５  ＣＰＵ
１６  切替スイッチ
１７  無線送受信機
１８  シアターラック用マイク
１９  アナログ信号入力部
２０  デジタル信号入力部
２１、２２  ＨＤＭＩ入出力部
２３  ＨＤＭＩ制御部
２４  リモコン受信部
２５  表示部
２６  電源回路
４１  ヘッドセットマイク
４２  ヘッドセットスピーカ
８１  送信部
８２  制御部
８３  操作部
９１  アンテナ
９２  送受信部
９３  ベースバンド処理部
９４  携帯用マイク
９５  携帯用スピーカ
９６  電源回路
９７  制御部
９８  記憶部
９９  切替部
【図１】
2014033279.tif 000003
【図２】
2014033279.tif 000004
【図３】
2014033279.tif 000005
【図４】
2014033279.tif 000006
【図５】
2014033279.tif 000007
【図６】
2014033279.tif 000008
【図７】
2014033279.tif 000009